(57)【要約】【課題】肩部分の突っ張り感を解消してストレッチ生地のポテンシャルを最大限に活かした着心地の楽なシャツを実現する。【解決手段】縦地の目に殆ど伸びが無く且つ横地の目の伸縮率を８％以上に高めたストレッチ生地から成るシャツ１に関し、ストレッチ生地の縦地の目が縦に通るように裁断した後身頃４を肩部分の頂部まで延ばし、ストレッチ生地の縦地の目が縦に通るように裁断した前身頃の上端とヨークを介さずに縫合する。【選択図】図１
0003220815.tif 000002
【実用新案登録請求の範囲】
【請求項１】
縦地の目に殆ど伸びが無く且つ横地の目の伸縮率を８％以上に高めたストレッチ生地から成るシャツであって、ストレッチ生地の縦地の目が縦に通るように裁断した後身頃を肩部分の頂部まで延ばし、ストレッチ生地の縦地の目が縦に通るように裁断した前身頃の上端とヨークを介さずに縫合したことを特徴とするシャツ。
【請求項２】
後身頃の上側部分における左右位置に、袖ぐりから前記後身頃の中央に向け上り勾配を成すダーツを入れたことを特徴とする請求項１に記載のシャツ。
【考案の詳細な説明】
【技術分野】
【０００１】
本考案は、シャツに関するものである。
【背景技術】
【０００２】
図５及び図６に示す如き従来の一般的なシャツ１においては、肩部分を成すヨーク２や衿３の部分が、シャツ１の立体感を醸し出すための保形性を有するように二枚重ねの衣料生地により仕立てられ、背中から腰にかけての範囲が、一重の衣料生地から成る後身頃４により形成され、胸から腹にかけての範囲が、左右に分かれた一重の衣料生地から成る前身頃５により形成されており、前記後身頃４と前記各前身頃５とは、体側の脇腹部分で縫い合わされている。
【０００３】
ここで、一般的なシャツ１に用いられる衣料生地は、縦糸と横糸を織って作られており、縦糸を通している方向を縦地の目と言い、横糸を通している方向を横地の目と言うが、縦地の目は、糸を縦に張った状態で織りあげていることから殆ど伸びが無くて強度が高く、横地の目は、縦に張った糸の間を左右に潜らせていることから伸びがあって強度は低いという性質がある。
【０００４】
このため、シャツ１の後身頃４や前身頃５は、その衣料生地の縦地の目が縦に通るように裁断され、型崩れの少ない美しいシルエットが保たれるようになっているのが通常であるが、シャツ１の肩部分を成すヨーク２は、その衣料生地の縦地の目が背中を横向きに通るように裁断され、腕を前に動かす動作で肩甲骨が広がって肩部分に横方向の引張力が作用しても、この引張力に前記ヨーク２が耐えられるようにしてある。
【０００５】
他方、近年においては、細身タイプのシャツ１が好まれるようになってきているが、このような細身タイプのシャツ１では、体への締めつけ感が強くなって動き難いという課題があり、横地の目の伸縮率を一般的な綿素材のシャツ生地よりも高めたストレッチ生地から成るシャツ１が提案されている。
【０００６】
尚、衣料業界におけるストレッチ生地の規定には明確な指標が存在していないが、本考案で述べているところのストレッチ生地とは、縦地の目に殆ど伸びが無く且つ横地の目の伸縮率を８％以上に高めたものを指している。
【考案の概要】
【考案が解決しようとする課題】
【０００７】
しかしながら、このようなストレッチ生地から成るシャツ１にあっては、後身頃４や前身頃５における横方向の伸縮性を高めて締めつけ感を緩和することができても、その肩部分を成すヨーク２が縦地の目が背中を横向きに通るように裁断されていたため、せっかくストレッチ生地を採用しても、そのポテンシャルが最大限に活かされておらず、肩部分における突っ張り感が解消されないまま残ってしまうという課題があった。
【０００８】
本考案は、上述の実情に鑑みてなしたもので、肩部分の突っ張り感を解消してストレッチ生地のポテンシャルを最大限に活かした着心地の楽なシャツを実現することを目的としている。
【課題を解決するための手段】
【０００９】
本考案は、縦地の目に殆ど伸びが無く且つ横地の目の伸縮率を８％以上に高めたストレッチ生地から成るシャツであって、ストレッチ生地の縦地の目が縦に通るように裁断した後身頃を肩部分の頂部まで延ばし、ストレッチ生地の縦地の目が縦に通るように裁断した前身頃の上端とヨークを介さずに縫合したことを特徴とするものである。
【００１０】
而して、このようにすれば、肩部分に従来の如き横方向に伸びないヨークが介在しなくなり、縦地の目が縦に通るように裁断した後身頃が肩部分の頂部まで延びて該肩部分を覆うようになっているので、前記肩部分にも良好な横方向への伸縮性を持たせることが可能となる。
【００１１】
この結果、両腕もしくは片腕を前方に伸ばしたり、胸の前で腕を組んだりした時などに、肩の動きに合わせて肩部分が横方向に無理なく伸びて該肩部分における突っ張り感が解消され、ストレッチ生地のポテンシャルを最大限に活かした着心地の楽なシャツが実現される。
【００１２】
しかも、後身頃や前身頃のストレッチ生地は、縦地の目が縦に通るように裁断されていて、縦方向には殆ど伸びないようになっているため、楽な着心地でありながらも型崩れの少ない美しいシルエットを保つことが可能である。
【００１３】
また、本考案においては、後身頃の上側部分における左右位置に、袖ぐりから前記後身頃の中央に向け上り勾配を成すダーツを入れることが好ましく、このようにすれば、シャツの肩部分にダーツが入ることで強度が高められ且つ立体感が醸し出されることになり、デザイン的な面白味が付加されることにもなる。
【考案の効果】
【００１４】
上記した本考案のシャツによれば、下記の如き種々の優れた効果を奏し得る。
【００１５】
（Ｉ）本考案の請求項１に記載の考案によれば、従来の如き横方向に伸びないヨークを無くして肩部分にも良好な横方向への伸縮性を持たせることができるので、前記肩部分の突っ張り感を解消してストレッチ生地のポテンシャルを最大限に活かした着心地の楽なシャツを実現することができる。
【００１６】
（ＩＩ）本考案の請求項２に記載の考案によれば、後身頃の上側部分における左右位置に入れたダーツにより、肩部分の強度を高めることができると共に、該肩部分の膨らみに沿う立体感を醸し出すことができ、更には、デザイン的な面白味を付加することもできるので、ヨークが無くなることに伴う影響を極めて軽微に抑えることができる。
【図面の簡単な説明】
【００１７】
【図１】本考案を実施する形態の一例を示す背面図である。
【図２】図１のシャツの正面図である。
【図３】図１のダーツの詳細を説明する斜視図である。
【図４】肩の動きに合わせて肩部分が横方向に伸びる様子を示す斜視図である。
【図５】従来例を示す背面図である。
【図６】図５のシャツの正面図である。
【考案を実施するための形態】
【００１８】
以下本考案の実施の形態を図示例と共に説明する。
【００１９】
図１〜図４は本考案の実施の形態の一例を示すもので、図１〜図４中における図５及び図６と同一の符号を付した部分は同一物を表わしている。
【００２０】
図１〜図４に示すように、本形態例においては、縦地の目に殆ど伸びが無く且つ横地の目の伸縮率を８％以上に高めたストレッチ生地によりシャツ１を縫製しており、ストレッチ生地の縦地の目が縦に通るように裁断した後身頃４を肩部分の頂部まで延ばし、ストレッチ生地の縦地の目が縦に通るように裁断した前身頃５の上端とヨーク２（図５及び図６参照）を介さずに縫合したところが特徴となっている。
【００２１】
また、ここに図示している例の場合、後身頃４の上側部分における左右位置に、袖ぐり７から前記後身頃４の中央に向け上り勾配を成して入り込むダーツ６が摘まみ縫いにより形成されており、これらのダーツ６は、先に図５及び図６で説明した従来のシャツ１におけるヨーク２（図５及び図６参照）と後身頃４との切り替え部分に相当する位置に形成されている。
【００２２】
ここで、前記ダーツ６の詳細につき補足しておくと、前記ダーツ６を摘まみ縫いする前の状態は、図３に示す通り袖ぐり７から後身頃４の中央に向け徐々に浅くなるようなＶ字溝を成して内側に折り込まれており、これを綴じ合わせて縫い合わせることで前記ダーツ６が形成されるようになっている。
【００２３】
而して、このようにすれば、肩部分に従来の如き横方向に伸びないヨーク２（図５及び図６参照）が介在しなくなり、縦地の目が縦に通るように裁断した後身頃４が肩部分の頂部まで延びて該肩部分を覆うようになっているので、前記肩部分にも良好な横方向への伸縮性を持たせることが可能となる。
【００２４】
この結果、両腕もしくは片腕を前方に伸ばしたり、胸の前で腕を組んだりした時などに、図４に示す如く、肩の動きに合わせて肩部分が横方向に無理なく伸びて該肩部分における突っ張り感が解消され、ストレッチ生地のポテンシャルを最大限に活かした着心地の楽なシャツ１が実現される。
【００２５】
しかも、後身頃４や前身頃５のストレッチ生地は、縦地の目が縦に通るように裁断されていて、縦方向には殆ど伸びないようになっているため、楽な着心地でありながらも型崩れの少ない美しいシルエットを保つことが可能である。
【００２６】
また、特に本形態例では、後身頃４の上側部分における左右位置に、袖ぐり７から前記後身頃４の中央に向け上り勾配（図１参照）を成して入り込むダーツ６を摘まみ縫いにより形成しているので、シャツ１の肩部分にダーツ６が入ることで強度が高められ且つ立体感が醸し出されることになり、デザイン的な面白味が付加されることにもなる。
【００２７】
従って、上記形態例によれば、従来の如き横方向に伸びないヨーク２（図５及び図６参照）を無くして肩部分にも良好な横方向への伸縮性を持たせることができるので、前記肩部分の突っ張り感を解消してストレッチ生地のポテンシャルを最大限に活かした着心地の楽なシャツ１を実現することができる。
【００２８】
また、後身頃４の上側部分における左右位置に入れたダーツ６により、肩部分の強度を高めることができると共に、該肩部分の膨らみに沿う立体感を醸し出すことができ、更には、デザイン的な面白味を付加することもできるので、ヨーク２（図５及び図６参照）が無くなることに伴う影響を極めて軽微に抑えることができる。
【００２９】
尚、本考案のシャツは、上述の形態例にのみ限定されるものではなく、本考案の要旨を逸脱しない範囲内において種々変更を加え得ることは勿論である。
【符号の説明】
【００３０】
１      シャツ
４      後身頃
５      前身頃
６      ダーツ
７      袖ぐり
【図１】
0003220815.tif 000003
【図２】
0003220815.tif 000004
【図３】
0003220815.tif 000005
【図４】
0003220815.tif 000006
【図５】
0003220815.tif 000007
【図６】
0003220815.tif 000008